(57)【要約】【課題】幅を狭くすることが可能な日射遮蔽装置を提供する。【解決手段】日射遮蔽装置１０は、操作によって昇降コードＣ２を進退させる操作部２６と、昇降コードＣ２が前方側または後方側に垂下されるのをガイドするサポート部材４０と、スラット３０が下降する向きに昇降コードＣ２が移動するのを防ぐ下降防止状態と、それとは逆に移動するを許容する下降許容状態との間で切り替え可能なストッパ装置５０とを備え、ストッパ装置５０は、隣り合うサポート部材４０の間に配置され、ヘッドボックス２０の内部のうち、ストッパ装置５０を挟んで操作部とは反対側には、コード転回部材７０が設けられ、ストッパ装置５０よりも操作部２６側に位置するサポート部材４０でガイドされる昇降コードＣ２は、コード転回部材７０を介して転回させられた後に、ストッパ装置５０に導入されている。【選択図】図１
2014205992.tif 000002
【特許請求の範囲】
【請求項１】
昇降コードをヘッドボックスの内部に対して進退させることによって、遮蔽材を昇降させる日射遮蔽装置であって、
複数の昇降コードが集約された状態で、操作によって当該昇降コードを進退させる操作部と、
前記ヘッドボックス内に複数配置されると共に、前記昇降コードが前記遮蔽材の前方側と後方側のうちのいずれかに垂下されるのをガイドするサポート部材と、
前記遮蔽材が引き上げられる向きに前記昇降コードが移動するのを許容する一方、前記遮蔽材が下降する向きへの前記昇降コードの移動を規制する規制状態と、前記遮蔽材が下降する向きへの前記昇降コードの移動規制を解除する解除状態との間で切り替え可能なストッパ装置と、
を備え、
前記ストッパ装置は、隣り合う前記サポート部材の間に配置されていて、
前記ヘッドボックスの内部のうち、前記ヘッドボックスの長手方向において前記ストッパ装置を挟んで前記操作部とは反対側には、コード転回部材が設けられていて、前記ストッパ装置よりも前記操作部側に位置する前記サポート部材でガイドされる前記昇降コードは、前記コード転回部材を介して転回させられた後に、前記ストッパ装置に導入されている、
ことを特徴とする日射遮蔽装置。
【請求項２】
請求項１記載の日射遮蔽装置であって、
前記昇降コードを前記ヘッドボックスの前後方向の外側から中央側に向かい転回させる、
ことを特徴とする日射遮蔽装置。
【請求項３】
請求項１または２記載の日射遮蔽装置であって、
前記コード転回部材は、前記ヘッドボックス内部に取り付けられるコード転回スペーサと、前記コード転回スペーサによって回転自在に支持されると共に前記昇降コードに当接して当該昇降コードの進退をガイドする転回ローラとを備えている、
ことを特徴とする日射遮蔽装置。
【請求項４】
請求項３記載の日射遮蔽装置であって、
前記コード転回スペーサには、一対の側方支持部が設けられていて、その一対の側方支持部は前記昇降コードを挿通させる挿通孔を囲んでいて、
前記側方支持部の外側には、前記サポート部材でガイドされた前記昇降コードを支持する台座部が設けられている、
ことを特徴とする日射遮蔽装置。
【請求項５】
請求項１から４のいずれか１項に記載の日射遮蔽装置であって、
前記コード転回部材は、前記ストッパ装置に隣接して設けられている、
ことを特徴とする日射遮蔽装置。
【請求項６】
請求項１または２記載の日射遮蔽装置であって、
前記コード転回部材は、前記ヘッドボックス内部に取り付けられるコード転回スペーサを備えると共に、
前記コード転回スペーサには、前記昇降コードが摺動すると共に前記サポート部材でガイドされた前記昇降コードの向きを転向させる摺動部分が設けられている、
ことを特徴とする日射遮蔽装置。
【請求項７】
昇降コードをヘッドボックスの内部に対して進退させることによって、遮蔽材を昇降させる日射遮蔽装置であって、
複数の昇降コードが集約された状態で、操作によって当該昇降コードを進退させる操作部と、
前記ヘッドボックス内に複数配置されると共に、前記昇降コードが前記遮蔽材の前方側と後方側のうちのいずれかに垂下されるのをガイドするサポート部材と、
前記遮蔽材が引き上げられる向きに前記昇降コードが移動するのを許容する一方、前記遮蔽材が下降する向きへの前記昇降コードの移動を規制する規制状態と、前記遮蔽材が下降する向きへの前記昇降コードの移動規制を解除する解除状態との間で切り替え可能なストッパ装置と、
を備え、
前記ヘッドボックスの内部のうち、前記ヘッドボックスの長手方向において前記ストッパ装置を挟んで前記操作部とは反対側には、コード転回部材が設けられていて、
前記昇降コードには、前記ストッパ装置に最も近接する前記サポート部材によって前記操作部側に向かうように転向される第１昇降コードがあり、
前記第１昇降コードは、前記遮蔽材の側方に垂下された位置から前記長手方向に対し屈曲後よりも角度が急な状態で前記コード転回部材に向かい、その後に前記コード転回部材によってガイドされ、前記第１昇降コードの前記コード転回部材でのガイド後は、そのガイド前と比べて前記ヘッドボックスの長手方向に対し角度の浅い状態で前記操作部側に向かうように屈曲させられる、
ことを特徴とする日射遮蔽装置。
【発明の詳細な説明】
【技術分野】
【０００１】
本発明は、日射遮蔽装置に関する。
【背景技術】
【０００２】
日射遮蔽装置の一種である横型ブラインドは、一般に、ヘッドボックスから昇降コードを介して多数のスラットを吊り下げられる構成となっている。かかる横型ブラインドでは、スラットの自重による降下を防止するための自重降下防止装置を備えるものがある。そのような自重降下防止装置を備えている横型ブラインドとしては、たとえば特許文献１に示すものがある。
【０００３】
特許文献１に示す構成では、ヘッドボックス内には、複数の支持部材が設けられていて、昇降コードは、支持部材によって上下方向からヘッドボックス内に向かうように向きが転回させられている。ここで、支持部材からギヤボックスおよび操作棒が配置されている操作部に向かう際に、昇降コードは、自重降下防止装置の内部を通過している。
【先行技術文献】
【特許文献】
【０００４】
【特許文献１】特許第３４７９０３８号公報
【発明の概要】
【発明が解決しようとする課題】
【０００５】
上述のように、特許文献１に示す構成では、自重降下防止装置は、支持部材と操作部の間に配置されている。すなわち、特許文献１に示す構成では、一端側から他端側に向かい、操作部、自重降下防止装置および支持部材が並んで配置されている。その場合、次のような問題がある。
【０００６】
すなわち、横型ブラインドが取り付けられる窓等の取付部位には、幅の狭いものも存在ており、そのような幅の狭い取付部位であっても、横型ブラインドが取り付けられることが好ましい。しかしながら、自重降下防止装置が操作部と支持部材との間に存在している場合、横型ブラインドの幅を狭くすることができない、という問題がある。
【０００７】
ここで、自重降下防止装置は、全ての昇降コードをストッパーカム等で挟持することにより、スラットの自重による落下を防止している。そのため、自重降下防止装置を取り付ける部位は、現状では、全ての昇降コードが集約する部位である操作部の近傍となっている。このため、操作部と支持部材との間には、自重降下防止装置を設置するためのスペースが必要となるので、そのスペースの存在により、横型ブラインドの幅を狭くすることには支障がある。
【０００８】
本発明は上記の事情にもとづきなされたもので、その目的とするところは、幅を狭くすることが可能な日射遮蔽装置を提供しよう、とするものである。
【課題を解決するための手段】
【０００９】
上記課題を解決するために、本発明の第１の観点によると、昇降コードをヘッドボックスの内部に対して進退させることによって、遮蔽材を昇降させる日射遮蔽装置であって、複数の昇降コードが集約された状態で、操作によって当該昇降コードを進退させる操作部と、ヘッドボックス内に複数配置されると共に、昇降コードが遮蔽材の前方側と後方側のうちのいずれかに垂下されるのをガイドするサポート部材と、遮蔽材が引き上げられる向きに昇降コードが移動するのを許容する一方、遮蔽材が下降する向きへの昇降コードの移動を規制する規制状態と、遮蔽材が下降する向きへの昇降コードの移動規制を解除する解除状態との間で切り替え可能なストッパ装置と、を備え、ストッパ装置は、隣り合うサポート部材の間に配置されていて、ヘッドボックスの内部のうち、ヘッドボックスの長手方向においてストッパ装置を挟んで操作部とは反対側には、コード転回部材が設けられていて、ストッパ装置よりも操作部側に位置するサポート部材でガイドされる昇降コードは、コード転回部材を介して転回させられた後に、ストッパ装置に導入されている、ことを特徴とする日射遮蔽装置が提供される。
【００１０】
また、本発明の他の側面は、上述の発明において、昇降コードをヘッドボックスの前後方向の外側から中央側に向かい転回させる、ことが好ましい。
【００１１】
また、本発明の他の側面は、上述の発明において、コード転回部材は、ヘッドボックス内部に取り付けられるコード転回スペーサと、コード転回スペーサによって回転自在に支持されると共に昇降コードに当接して当該昇降コードの進退をガイドする転回ローラとを備えている、ことが好ましい。
【００１２】
さらに、本発明の他の側面は、上述の発明において、コード転回スペーサには、一対の側方支持部が設けられていて、その一対の側方支持部は昇降コードを挿通させる挿通孔を囲んでいて、側方支持部の外側には、サポート部材でガイドされた昇降コードを支持する台座部が設けられている、ことが好ましい。
【００１３】
また、本発明の他の側面は、上述の発明において、コード転回部材は、ストッパ装置に隣接して設けられている、ことが好ましい。
【００１４】
さらに、本発明の他の側面は、上述の発明において、コード転回部材は、ヘッドボックス内部に取り付けられるコード転回スペーサを備えると共に、コード転回スペーサには、昇降コードが摺動すると共にサポート部材でガイドされた昇降コードの向きを転向させる摺動部分が設けられている、ことが好ましい。
【００１５】
また、本発明の第２の観点によると、昇降コードをヘッドボックスの内部に対して進退させることによって、遮蔽材を昇降させる日射遮蔽装置であって、複数の昇降コードが集約された状態で、操作によって当該昇降コードを進退させる操作部と、ヘッドボックス内に複数配置されると共に、昇降コードが遮蔽材の前方側と後方側のうちのいずれかに垂下されるのをガイドするサポート部材と、遮蔽材が引き上げられる向きに昇降コードが移動するのを許容する一方、遮蔽材が下降する向きへの昇降コードの移動を規制する規制状態と、遮蔽材が下降する向きへの昇降コードの移動規制を解除する解除状態との間で切り替え可能なストッパ装置と、を備え、ヘッドボックスの内部のうち、ヘッドボックスの長手方向においてストッパ装置を挟んで操作部とは反対側には、コード転回部材が設けられていて、昇降コードには、ストッパ装置に最も近接するサポート部材によって操作部側に向かうように転向される第１昇降コードがあり、第１昇降コードは、遮蔽材の側方に垂下された位置から長手方向に対し屈曲後よりも角度が急な状態でコード転回部材に向かい、その後にコード転回部材によってガイドされ、第１昇降コードのコード転回部材でのガイド後は、そのガイド前と比べてヘッドボックスの長手方向に対し角度の浅い状態で操作部側に向かうように屈曲させられる、ことを特徴とする日射遮蔽装置が提供される。
【発明の効果】
【００１６】
本発明によると、日射遮蔽装置において、幅を狭くすることが可能となる。
【図面の簡単な説明】
【００１７】
【図１】本発明の第１の実施の形態に係る横型ブラインドの全体構成を示す側面図である。
【図２】図１の横型ブラインドの平面図であり、ヘッドボックスを透過的に見た状態を示す図である。
【図３】図１の横型ブラインドで用いられるストッパ装置の構成を示す斜視図である。
【図４】図１の横型ブラインドのヘッドボックス内におけるサポート部材、ストッパ装置およびコード転回部材の配置を示す図であり、（Ａ）は従来の配置を示し、（Ｂ）は本実施の形態の配置を示す図である。
【図５】図１の横型ブラインドにおけるコード転回部材の構成を示す斜視図である。
【図６】図１の横型ブラインドにおけるコード転回部材の構成を示す正面断面図である。
【図７】図１の横型ブラインドにおけるコード転回部材を下方側から見た状態を示す斜視図である。
【図８】第２の実施の形態に係る横型ブラインドのヘッドボックス内におけるサポート部材、ストッパ装置およびコード転回部材の配置を示す図であり、（Ａ）は従来の配置を示し、（Ｂ）は第２の実施の形態の配置を示す図である。
【発明を実施するための形態】
【００１８】
（第１の実施の形態）
以下、本発明の第１の実施の形態に係る、日射遮蔽装置としての横型ブラインド１０について、図面に基づいて説明する。なお、以下の説明においては、ＸＹＺ直交座標系を用いて説明する場合があるものとし、Ｘ方向を横型ブラインド１０の幅方向（長手方向）とし、Ｘ１側は図１の右端側、Ｘ２側は図１の左端側とする。またＺ方向を横型ブラインド１０の吊り下げ方向（上下方向）とし、Ｚ１側は上側、Ｚ２側は下側とする。またＹ方向はＸ方向およびＹ方向に直交する方向とし、Ｙ１側は操作ポール３３が位置する部屋内側、Ｙ２側はそれとは逆の部屋外側とする。
【００１９】
＜横型ブラインド１０の構成について＞
図１は、第１の実施の形態に係る横型ブラインド１０の構成を示す側面図である。また、図２は、横型ブラインド１０の平面図であり、ヘッドボックス２０を透過的に見た状態を示す図である。図１および図２に示すように、横型ブラインド１０は、天井等に固定されるヘッドボックス２０を備え、そのヘッドボックス２０から複数本のラダーコードＣ１を介して多数のスラット３０（遮蔽材に対応）が所定のピッチ毎に吊り下げられている。そして、ラダーコードＣ１の下端側（Ｚ２側）は、ホルダ３１を介してボトムレール３２に取り付けられている。
【００２０】
ボトムレール３２には、それぞれの昇降コードＣ２の下端側（Ｚ２側）が固定されている。この昇降コードＣ２は、それぞれのスラット３０の部屋内側または部屋外側の側縁に沿って垂下され、さらにヘッドボックス２０内を挿通された後に、幅方向の一端側（Ｘ１側）に存在する孔部２０ａから下方へと垂下される。それにより、昇降コードＣ２を把持して上下動させると、多数のスラット３０を積み重ねた収納状態と、スラット３０を所定のピッチで配置する展開状態とを容易に実現可能となっている。
【００２１】
ここで、ヘッドボックス２０内には、回転自在なガイドローラ２１が、孔部２０ａの上方側に差し掛かる状態で設けられている。かかるガイドローラ２１の回転により、孔部２０ａから垂下されている昇降コードＣ２の移動を良好にガイドすることが可能となっている。なお、孔部２０ａおよびガイドローラ２１は、後述する操作部２６を構成する。
【００２２】
図１および図２に示すように、ヘッドボックス２０の内部には、サポート部材４０が設けられている。サポート部材４０は、図１および図２に示す構成では、３つ設けられている。そして、一端側（Ｘ１側）および他端側（Ｘ２側）のサポート部材４０は、昇降コードＣ２を部屋外側（Ｙ２側）に導くが、中央側のサポート部材４０は、昇降コードＣ２を部屋内側（Ｙ１側）に導いている。なお、以下の説明では、必要に応じて、一端側（Ｘ１側）のサポート部材４０をサポート部材４０ａ、中央側のサポート部材４０をサポート部材４０ｂ、他端側（Ｘ２側）のサポート部材４０をサポート部材４０ｃと称呼する。
【００２３】
サポート部材４０のハウジング４１には、支持ドラム４２が回転自在に取り付けられている。支持ドラム４２には、ラダーコードＣ１の上端側（Ｚ１側）が取付けられ、ラダーコードＣ１を巻き取ることを可能としている。支持ドラム４２の径方向中心側には不図示の嵌合孔が設けられ、この嵌合孔には回転軸２５が差し込まれ、支持ドラム４２と回転軸２５とが一体的に回転するように設けられている。
【００２４】
回転軸２５は、たとえば六角形の外周形状に設けられていて、上述の嵌合孔も六角形の孔形状に設けられている。それにより、支持ドラム４２と回転軸２５とは一体的に回転するように設けられている。
【００２５】
回転軸２５の一端側（図１において長手のＸ１側）には、操作部２６を構成するギヤボックス２７が設けられている。ギヤボックス２７には、たとえばウォームホイール等のギヤ（図示省略）が設けられていて、このウォームホイールは回転軸２５に直接的または間接的に連結されている。ギヤボックス２７には、ウォームホイールと噛み合うウォーム（図示省略）が設けられ、そのウォームは操作ポール３３に直接的または間接的に連結されている。それにより、操作ポール３３を回転させると、その回転力がウォームおよびウォームホイールおよび回転軸２５を介して、支持ドラム４２に与えられる。
【００２６】
＜ストッパ装置５０について＞
次に、ストッパ装置５０について説明する。図３は、ストッパ装置５０の構成を示す斜視図である。図１に示すように、ヘッドボックス２０の内部には、図３に示すようなストッパ装置５０が取り付けられている。上述した昇降コードＣ２は、ストッパ装置５０を通っている。
【００２７】
本実施の形態では、ストッパ装置５０は、従来のような操作部２６とサポート部材４０の間ではなく、一端側（Ｘ１側）のサポート部材４０ａと中央側のサポート部材４０ｂの間に位置している。なお、ストッパ装置５０は、他端側（Ｘ２側）のサポート部材４０ｃと中央側のサポート部材４０ｂの間に位置する構成としても良い。
【００２８】
このストッパ装置５０は、公知のものであるが、次のような動作を実現可能としている。すなわち、ストッパ装置５０の内部を通る昇降コードＣ２がスラット３０の重量によって降下するのを規制する規制状態を実現可能としている。また、規制状態から昇降コードＣ２を若干Ｘ１側に戻すことにより、下降の移動規制を解除する解除状態となる。それにより、スラット３０の重量によって自動的にスラット３０が降下する状態となる。
【００２９】
図３に示すように、ストッパ装置５０は、その外観を直方体形状とするケース５１を備えている。ケース５１の他端側（Ｘ２側）は、開口した導入口５２となっていて、この導入口５２を介して昇降コードＣ２がケース５１内部に導入される。また、ケース５１の他端側には、案内ローラ５３が回転自在に支持されている。この案内ローラ５３により、昇降コードＣ２の移動はガイドされると共に、昇降コードＣ２は下方から支持される。
【００３０】
ここで、ストッパ装置５０は、図３に示すようなスペーサ６０に収納されている。スペーサ６０は、下方側が開口した四角形のボックス形状の本体部６１を備え、その本体部６１には、導入口５２と連通する開口部６２が設けられている。さらに、スペーサ６０は、本体部６１から延伸する脚部６３を備えている。脚部６３は、本体部６１から離間する前後方向（Ｙ方向）に延出していて、その脚部６３の突出の先端側は、ヘッドボックス２０の側壁の内壁側に当接する。それにより、スペーサ６０の前後方向（Ｙ方向）における移動が規制される。
【００３１】
図３に示すように、脚部６３は、横型ブラインド１０の幅方向（Ｘ方向）に並ぶ一対のプレート部分６３ａ，６３ｂを有していて、一対のプレート部分６３ａ，６３ｂをつなぐ一対の底部６３ｃも有している。それにより、これらプレート部分６３ａ，６３ｂおよび底部６３ｃで囲まれる部分は、後述する嵌合凸部８３３が嵌まり込む嵌合凹部６４となっている。
【００３２】
図４は、ヘッドボックス２０内におけるサポート部材４０、ストッパ装置５０およびコード転回部材７０の配置を示す図であり、（Ａ）は従来の配置を示し、（Ｂ）は本実施の形態の配置を示す図である。図１、図２および図４（Ｂ）に示すように、ヘッドボックス２０の内部には、ストッパ装置５０に隣接して、コード転回部材７０が配置されている。コード転回部材７０は、昇降コードＣ２の延出の向きを転回させるものであり、図２に示す構成では、一端側のサポート部材４０ａから延出している昇降コードＣ２は、幅方向の他端側（Ｘ２側）に向かって進行するが、コード転回部材７０を通過した後には、幅方向の一端側（Ｘ１側）に向かうように、昇降コードＣ２の進行の向きが転回させられる。
【００３３】
なお、図４（Ａ）に示すように、従来の配置では、ストッパ装置５０は、サポート部材４０ａと操作部２６との間に位置している。しかし、本実施の形態では、図４（Ｂ）に示すように、ストッパ装置５０は、サポート部材４０ａとサポート部材４０ｂの間に位置している。それにより、本実施の形態における配置構成では、従来の配置構成と比較して、寸法Ｌだけ短くすることが可能となっている。
【００３４】
図５は、コード転回部材７０の構成を示す斜視図である。また、図６は、コード転回部材７０の構成を示す正面断面図である。図５および図６に示すように、コード転回部材７０は、コード転回スペーサ８０と、転回ローラ９０とを備えている。コード転回スペーサ８０は、上支持部８１と、下支持部８２と、側方支持部８３とを備えている。上支持部８１は、転回ローラ９０の上方側の軸部９１ａを回転自在に支持している。同様に、下支持部８２は、転回ローラ９０の下方側の軸部９１ｂを回転自在に支持している。
【００３５】
このような支持を行うために、上支持部８１および下支持部８２には、それぞれ、図６に示すような軸支孔８１ａ，８２ａが設けられていて、その軸支孔８１ａ，８２ａに転回ローラ９０の軸部９１ａ，９１ｂがそれぞれ差し込まれる。このとき、軸部９１ａ，９１ｂには、軸支孔８１ａ，８２ａから抜けるのを防止する抜け止めが取り付けられる構成としても良い。なお、本実施の形態では、転回ローラ９０は、前後方向（Ｙ方向）に沿って２つ設けられている。そのため、上支持部８１および下支持部８２における軸支孔８１ａ，８２ａも、それぞれ２つずつ設けられている。
【００３６】
なお、上支持部８１には、逃がし凹部８１ｂが設けられている。逃がし凹部８１ｂは、コード転回スペーサ８０の前後方向の中央側に設けられていて、下方側から上方に向かい湾曲した凹形状に設けられている。それにより、この逃がし凹部８１ｂに回転軸２５を位置させて、この回転軸２５が上支持部８１と干渉するのを防止可能となる。
【００３７】
ここで、転回ローラ９０は、上述した軸部９１ａ，９１ｂと、ローラ部９２とを備えている。ローラ部９２は、昇降コードＣ２が当接する部分であり、図５に示す構成では、ローレット加工等によって外周面に凹凸が存在する形状に設けられている。それにより、昇降コードＣ２は、ローラ部９２に対して滑らずに、昇降コードＣ２の耐摩耗性が向上している。ただし、ローラ部９２は、その外周面に凹凸を形成しないものとしても良い。
【００３８】
コード転回スペーサ８０には、前後方向（Ｙ方向）に間隔を有する状態で一対の側方支持部８３が設けられている。この側方支持部８３は、上支持部８１と下支持部８２とにそれぞれ接続しているが、側方支持部８３は、上支持部８１および下支持部８２よりも幅方向の一端側（Ｘ１側）に位置している。図５に示すように、側方支持部８３には、側壁部８３１と台座部８３２とが設けられている。側壁部８３１はプレート状の部分であり、その内壁側がスペーサ６０の本体部６１の側壁に当接する。なお、側壁部８３１は、本体部６１の側壁に当接せずに、若干の間隔を有して対向していても良い。
【００３９】
なお、コード転回スペーサ８０には、上支持部８１、下支持部８２および側方支持部８３で囲まれた挿通孔８４が設けられていて、この挿通孔８４に全ての昇降コードＣ２が挿通されている。
【００４０】
また、台座部８３２は、側壁部８３１の下方側に位置する台座状の部分であり、その前後方向の寸法は、側壁部８３１の厚みよりも大きく設けられている。台座部８３２の上端面８３２ａは、昇降コードＣ２を支持することが可能となっていて、それによって昇降コードＣ２の下方側の位置が規定された状態で転回ローラ９０へと導かれる。
【００４１】
また、台座部８３２の下方側には、嵌合凸部８３３が設けられている。図７は、台座部８３２の下方側から見た状態を示すコード転回部材７０の斜視図である。嵌合凸部８３３は、上述した脚部６２の嵌合凹部６４に嵌まり込む部分である。図７に示す構成では、台座部８３２の下方側には、上述したプレート部分６２ａ，６２ｂがそれぞれ入り込む凹溝部８３４が設けられている。そのため、凹溝部８３４にプレート部分６２ａ，６２ｂを位置させると、嵌合凸部８３３が嵌合凹部６４に嵌まり込む状態となっている。
【００４２】
かかる嵌まり込みによって、コード転回スペーサ８０の幅方向（Ｘ方向）における移動が規制される。図７に示す構成では、嵌合凸部８３３には、一対のプレート８３３ａ，８３３ｂが所定の間隔を有する状態で幅方向（Ｘ方向）に並ぶように設けられていて、一対のプレート８３３ａ，８３３ｂが対向しない側には、上述した凹溝部８３４が設けられている。また、一対のプレート８３３ａ，８３３ｂを前後方向（Ｙ方向）の中央側で連結するように内壁部８３３ｃが設けられている。
【００４３】
＜作用効果について＞
以上のような構成の横型ブラインド１０によると、ストッパ装置５０の他端側（Ｘ２側）には、コード転回部材７０が配置されていて、全ての昇降コードＣ２は、このコード転回部材７０の挿通孔８４を経た後に、ストッパ装置５０に導入されている。ここで、ストッパ装置５０よりも一端側（Ｘ１側）に位置するサポート部材４０ａを介して、ヘッドボックス２０の下方への垂下がガイドされる昇降コードＣ２は、サポート部材４０ａから他端側（Ｘ２側）へと向かい、台座部８３２上を案内された後に、転回ローラ９０によってＸ１側に向かうように転回させられている。それにより、一端側（Ｘ１側）のサポート部材４０ａと中央側のサポート部材４０ｂの間にストッパ装置５０を配置する構成を実現できるので、図４（Ａ）と図４（Ｂ）の比較から明らかなように、横型ブラインド１０の幅を狭くする（Ｘ方向の長さを短くする）ことが可能となる。
【００４４】
また、本実施の形態では、コード転回部材７０は、ヘッドボックス２０内部に取り付けられるコード転回スペーサ８０と、転回ローラ９０とを備えている。このため、転回ローラ９０によって昇降コードＣ２の進行する向きを滑らかに転回させることが可能となり、円滑なスラット３０の昇降動作を実現可能となる。
【００４５】
さらに、本実施の形態では、側方支持部８３の外側には、サポート部材４０ａでガイドされた昇降コードＣ２を支持する台座部８３２が設けられている。このため、昇降コードＣ２の下方側は、台座部８３２によって支持可能となる。それにより、昇降コードＣ２の位置が下がってしまい、昇降コードＣ２が転回ローラ９０の下方の軸部９１ｂ寄りに位置してしまうのを防止可能となる。そのため、昇降コードＣ２が軸部９１ｂ側で噛んでしまうのを防止可能となる。
【００４６】
また、本実施の形態では、コード転回部材７０は、ストッパ装置５０に隣接して設けられている。このため、コード転回部材７０がストッパ装置５０に隣接せず、他端側（Ｘ２側）に位置している場合と比較して、サポート部材４０ａを経た昇降コードＣ２においては、ヘッドボックス２０内で必要とされる長さを短くすることが可能となる。
【００４７】
（第２の実施の形態）
以下、本発明の第２の実施の形態に係る横型ブラインド１０について、図８に基づいて説明する。図８は、第２の実施の形態における横型ブラインド１０のヘッドボックス２０内におけるサポート部材４０、ストッパ装置５０およびコード転回部材７０の配置を示す図であり、（Ａ）は従来の配置を示し、（Ｂ）は本実施の形態の配置を示す図である。
【００４８】
なお、本実施の形態では、上述した第１の実施の形態におけるものと同一の部材については、同一の符号を用いて説明することとし、また同一の部材については、その説明を省略する。
【００４９】
図８（Ｂ）に示すように、本実施の形態では、上述した第１の実施の形態における構成（図４（Ｂ）参照）とは異なり、操作部２６と一端側（Ｘ１側）に位置するサポート部材４０ａとの間に、ストッパ装置５０が設けられている。この点は、従来の配置である図８（Ａ）に示す構成と同様である。
【００５０】
しかしながら、図８（Ｂ）に示す構成では、ストッパ装置５０の他端側（Ｘ２側）に隣接して、コード転回部材７０が配置されている。この点が、図４（Ｂ）に示す構成とは異なっている。
【００５１】
なお、図８（Ｂ）から明らかなように、本実施の形態では、昇降コードＣ２は少なくとも２本（通る位置が異なるものが２パターン）ある。先ず、昇降コードＣ２には、ストッパ装置５０に最も近接するサポート部材４０ａによって操作部２６側に向かうように転向される第１昇降コードがある。なお、この第１昇降コードＣ２には、図８（Ｂ）に示すように、サポート部材４０ｂから操作部２６側に向かうものも含まれるとしても良い。
【００５２】
また、昇降コードＣ２には、上述のサポート部材４０ａよりも遠いサポート部材４０（サポート部材４０ｂ）によって操作部２６側に向かうように転向される第２昇降コードがある。なお、サポート部材４０ｂでは、Ｙ１方向（部屋内側）のスラット３０の側方に沿って垂下され、サポート部材４０ｃでは、Ｙ２方向（部屋外側）のスラット３０の側方に沿って垂下させられている。
【００５３】
そして、第１昇降コードＣ２は、コード転回部材７０の転回ローラ９０ａでＹ２方向（部屋外側）のスラット３０の側方に沿って垂下された位置からヘッドボックス２０の長手方向に対し角度が急な状態でＹ方向中央に向かい、その後コード転回部材７０ａで屈曲される。そして、屈曲後はヘッドボックス２０の長手方向に対しほぼ平行となる状態で操作部２６側に向かうように案内されている。そして、ストッパ装置５０を経てヘッドボックス２０の外部へ導出される。
【００５４】
上述した図８（Ｂ）に示すような構成とする場合、次のようなメリットがある。すなわち、図８（Ｂ）に示す構成では、ストッパ装置５０に隣接してコード転回部材７０が配置されている。そのため、サポート部材４０ａから導出された昇降コードＣ２を大きく屈曲させる（屈曲角度を大きくする）ことが可能となっている。また、転回ローラ９０で屈曲させるため、屈曲角度を大きくしても抵抗の増加を少なくすることができる。それにより、図４（Ａ）に示すような従来の配置と比較して、横型ブラインド１０の幅方向（長手方向）における寸法を、寸法Ｌ２だけ短くすることが可能となる。また、第２昇降コードＣ２も転回ローラ９０ｂでガイドされている。そのため、第２昇降コードＣ２のガイドにおける抵抗を小さくすることができる。
【００５５】
＜変形例＞
以上、本発明の各実施の形態について説明したが、本発明はこれ以外にも種々変形可能となっている。以下、それについて述べる。
【００５６】
上述の各実施の形態では、横型ブラインド１０を日射遮蔽装置の一例として説明している。しかしながら、日射遮蔽装置は、横型ブラインド１０に限られるものではない。たとえば、プリーツスクリーン、ローマンシェードを始めとする他のタイプの日射遮蔽装置に本発明を適用しても良い。なお、プリーツスクリーンやローマンシェードが日射遮蔽装置の場合には、薄い生地部材が遮蔽材に対応する。
【００５７】
また、上述の各実施の形態では、ヘッドボックス２０は、天井等に取り付けられるものとして説明している。しかしながら、ヘッドボックスは、たとえば突っ張り棒と同様に、窓枠部等の側板等に、押圧力を及ぼしながら位置保持される構成としても良い。
【００５８】
また、上述の各実施の形態では、昇降コードＣ２は、操作ポール３３の内部を通らずに、操作ポール３３と昇降コードＣ２とは別々の部位から垂下するものとしている。しかしながら、他の方式としても良い。たとえば、昇降コードＣ２が操作ポールの内部を通る、いわゆるワンポール式の構成としても良く、操作ポールを用いないチェーン式としても良く、その他の種々の方式としても良い。
【００５９】
また、上述の各実施の形態では、ストッパ装置として、図４に示す構成のストッパ装置５０を用いている。しかしながら、ストッパ装置は、図４に示すようなタイプには限られず、他のタイプとしても良い。たとえば、移動コロと滑車との間で昇降コードを挟み込む方式のストッパ装置としても良く、くさび形状の部材と壁面との間で昇降コードを挟み込む方式のストッパ装置としても良く、その他の種々のタイプとしても良い。
【００６０】
さらに、上述の実施の形態では、コード転回部材として、図５〜図７に示すようなコード転回部材７０について説明している。しかしながら、コード転回部材は、別の構成としても良い。たとえば、コード転回部材は、転回ローラを備えない構成としても良い。その場合、たとえば、コード転回部材が備えるコード転回スペーサには、昇降コードＣ２が摺動すると共にサポート部材でガイドされた昇降コードＣ２の向きを転回させる摺動部分が設けられる構成としても良い。このように構成しても、サポート部材４０ａによって他端側（Ｘ２側）に向かうように向きが転回させられた昇降コードＣ２について、摺動部分で一端側（Ｘ１側）に向かうように向きを転回させることが可能となる。なお、摺動部分は、たとえばナイロン等のような摩擦の小さな部材から構成するようにしても良い。
【００６１】
また、別の構成としては、コード転回部材とストッパ装置とが一体化された構成としても良い。かかる一体化された一体化構造体は、転回ローラを備えるものとしても良く、転回ローラを備えずに上述したような摺動部分を備える構成としても良い。
【００６２】
また、上述の実施の形態では、ヘッドボックス２０内には、３つのサポート部材４０が配置されている。しかしながら、サポート部材４０の個数は、３つに限られるものではなく、２つ以上であれば、幾つ設けられていても良い。また、ストッパ装置５０およびコード転回部材７０は、サポート部材４０ａとサポート部材４０ｂの間に配置する構成には限られず、サポート部材４０ｂとサポート部材４０ｃの間を始めとして、別の部位に配置する構成としても良い。
【符号の説明】
【００６３】
１０…横型ブラインド、２０…ヘッドボックス、２０ａ…孔部、２１…ガイドローラ、２５…回転軸、２６…操作部、２７…ギヤボックス、３０…スラット（遮蔽材に対応）、３１…ホルダ、３２…ボトムレール、３３…操作ポール、４０，４０ａ，４０ｂ，４０ｃ…サポート部材、４１…ハウジング、４２…支持ドラム、４３…挿通部、５０…ストッパ装置、５１…ケース、５２…導入口、５３…案内ローラ、６０…スペーサ、６１…本体部、６２…脚部、６２ａ，６２ｂ…プレート部分、６２ｃ…底部、７０…コード転回部材、８０…コード転回スペーサ、９１…上支持部、９１ａ…軸支孔、９２…下支持部、９３…側方支持部、Ｃ１…ラダーコード、Ｃ２…昇降コード
【図１】
2014205992.tif 000003
【図２】
2014205992.tif 000004
【図３】
2014205992.tif 000005
【図４】
2014205992.tif 000006
【図５】
2014205992.tif 000007
【図６】
2014205992.tif 000008
【図７】
2014205992.tif 000009
【図８】
2014205992.tif 000010